(57)【要約】【課題】本発明は、特性インピーダンスコントロールフレキシブルフラットケーブルを用いた電子機器に関する。【解決手段】インクジェット記録装置１は、本体側基板１７とキャリッジ側基板９という回路間を接続して差動信号を伝送する特性インピーダンスコントロールＦＦＣ２０として、所定幅を有する平板状であって前記差動信号の流れる複数の導体が、本体側基板１７とキャリッジ側基板９間の方向に延在するとともに幅方向に所定の間隔を空けて配設されている特性インピーダンスコントロールＦＦＣと、所定幅を有する平板状であって電源線または接地線を含む複数の導体が、本体側基板１７とキャリッジ側基板９間の方向に延在するとともに所定の間隔を空けて配設されている特性インピーダンスコントロールＦＦＣと、が該両特性インピーダンスコントロールＦＦＣの導体が相対向する状態で積層されている。【選択図】          図１
2012195245.tif 000002
【特許請求の範囲】
【請求項１】
回路間が所定の配線材で接続されて少なくとも１対の差動信号を該回路間で伝送する電子機器であって、
前記配線材は、
所定幅を有する平板状であって前記差動信号の流れる複数の導体が、前記回路間方向に延在するとともに幅方向に所定の間隔を空けて配設されている第１の配線材と、
所定幅を有する平板状であって電源線または接地線を含む複数の導体が、前記回路間方向に延在するとともに幅方向に所定の間隔を空けて配設されている第２の配線材と、
を有し、
前記第１の配線材と前記第２の配線材が、該第１の配線材の前記導体と該第２の配線材の前記導体が相対向する状態で積層されていることを特徴とする電子機器。
【請求項２】
前記配線材は、
前記第１の配線材の前記導体と前記第２の配線材の前記導体の相対向する面の幅が同じであることを特徴とする請求項１記載の電子機器。
【請求項３】
前記配線材は、
前記第２の配線材の前記導体が、前記第１の配線材の前記導体と対向する面において、その幅が、該第１の配線材の該導体の幅よりも大きいことを特徴とする請求項１記載の電子機器。
【請求項４】
前記第１の配線材と前記第２の配線材は、
前記導体の周囲が、接着層で埋められており、該接着層の外面が所定の誘電体で被覆されていることを特徴とする請求項１から請求項３のいずれかに記載の電子機器。
【請求項５】
前記第１の配線材と前記第２の配線材は、
前記接着層同士が直接積層されていることを特徴とする請求項４記載の電子機器。
【請求項６】
前記電子機器は、
少なくとも一方の前記回路が、所定の移動範囲を移動して、前記配線材が該回路の移動に伴って所定の移動領域を移動し、少なくとも該移動領域の該配線材をガイドするガイド部材を備えていることを特徴とする請求項１から請求項４のいずれかに記載の電子機器。
【発明の詳細な説明】
【技術分野】
【０００１】
本発明は、電子機器に関し、詳細には、特性インピーダンスコントロールフレキシブルフラットケーブルを用いた電子機器に関する。
【背景技術】
【０００２】
複合装置、複写装置、プリンタ装置、スキャナ装置、コンピュータ等の電子機器においては、近年、処理データ量の増加と高速処理の要求が高まっており、デバイス間やユニット間のデータ転送に、ＬＶＤＳ（Low Voltage Differential Signaling）等の小振幅の高速差動信号（クロック）を利用してデータや信号を高速転送することが行われるようになってきている。
【０００３】
そして、ＬＶＤＳを利用したケーブルとしては、一般的に、図１１に示すような特性インピーダンスコントロールＦＦＣ（フレキシブルフラットケーブル）１００が用いられており、図１１（ａ）は、ＦＦＣの平面図、図１１（ｂ）は、図１１（ａ）のＡ−Ａ矢視断面図である。一般的に、特性インピーダンスコントロールＦＦＣ１００は、図１１（ｂ）に示すように、複数の導体１０１、導体１０１を囲むように配置されている絶縁性接着剤１０２、絶縁性接着剤１０２の上下に積層される誘電体１０３及び誘電体１０３の上下に積層されるアルミ等の金属層によるシールド材(ＧＮＤ）１０４で構成されている。
【０００４】
このような構成の特性インピーダンスコントロールＦＦＣ１００は、その特性インピーダンスＺdiffが、導体間距離（導体間ピッチ）ｄｐ［ｍｍ］、誘電体１０３の誘電率εと真空の誘電率ε0の比である比誘電率εｒ（ε／ε0＝εｒ）、シールド材１０４と導体１０１との距離ｄ１［ｍｍ］で、決定され、これらの特性決定要因を調整することで、意図する特性値を有する特性インピーダンスコントロールＦＦＣの製造を行っている。
【０００５】
ところが、データや信号を高速で転送するためには、回路の不整合箇所を少なくする必要があり、配線の特性インピーダンスの均一性が求められる。
【０００６】
そこで、従来、複数の導体が平行に配列された導体列を、接着層付き発泡絶縁体で両側から挟みこんでラミネート加工し、さらに、該接着層付き発泡絶縁体を両側から導電性接着層付き金属層で挟んで、高周波回路との整合性及び伝播遅延時間の短縮化を図ったフレキシブルフラットケーブルが提案されている（特許文献１参照）。
【０００７】
また、従来、シールド材（ＧＮＤ）や調整材により、開口金属層の開口率を調整することで、信号線との対向面積を変化させて、特性インピーダンスやキャパシタンスを調整し、特性の調整と波形の鈍りの防止を図ったインピーダンスコントロールフィルムが提案されている（特許文献２参照）。
【発明の概要】
【発明が解決しようとする課題】
【０００８】
しかしながら、上記従来技術にあっては、デバイス間やユニット間の信号の高速伝送を、安価に、かつ、高品質で行う上で、改良の必要があった。
【０００９】
すなわち、上記特許文献１記載の従来技術にあっては、信号線以外にシールド材（ＧＮＤ）または、調整剤を使用しているため、可動領域に用いた際に耐久性に問題が生じたり、コストが増加するという問題があった。
【００１０】
また、特許文献２記載の従来技術にあっては、シールド材（ＧＮＤ）や調整剤により開口率を調整しているため、シールド部材や調整剤を必要とし、コストが増加するという問題があった。
【００１１】
そこで、本発明は、差動高速信号における波形品質の劣化を安価に抑制しつつ、耐久性を向上させた電子機器を提供することを目的としている。
【課題を解決するための手段】
【００１２】
本発明は、上記目的を達成するために、回路間を接続して差動信号を伝送する配線材として、所定幅を有する平板状であって前記差動信号の流れる複数の導体が、前記回路間方向に延在するとともに幅方向に所定の間隔を空けて配設されている第１の配線材と、所定幅を有する平板状であって電源線または接地線を含む複数の導体が、前記回路間方向に延在するとともに所定の間隔を空けて配設されている第２の配線材と、が該第１の配線材の該導体と該第２の配線材の該導体とが相対向する状態で積層されている配線材を使用することを特徴としている。
【００１３】
また、本発明は、前記配線材が、前記第１の配線材の前記導体と前記第２の配線材の前記導体の相対向する面の幅が同じであることを特徴としていてもよい。
【００１４】
さらに、本発明は、前記配線材が、前記第２の配線材の前記導体が、前記第１の配線材の前記導体と対向する面において、その幅が、該第１の配線材の該導体の幅よりも大きいことを特徴としていてもよい。
【００１５】
また、本発明は、前記第１の配線材と前記第２の配線材が、前記導体の周囲が、接着層で埋められており、該接着層の外面が所定の誘電体で被覆されていることを特徴としていてもよい。
【００１６】
さらに、本発明は、前記第１の配線材と前記第２の配線材が、前記接着層同士が直接積層されていることを特徴としていてもよい。
【発明の効果】
【００１７】
本発明によれば、差動高速信号における波形品質の劣化を安価に抑制しつつ、耐久性を向上させことができる。
【図面の簡単な説明】
【００１８】
【図１】本発明の一実施例を適用したインクジェット記録装置の要部概略構成図。
【図２】キャリッジの移動とＦＦＣの可動領域の関係を示す図。
【図３】本体側基板とキャリッジ側基板をＦＦＣで接続した回路構成図。
【図４】ＦＦＣの上面斜視図と断面図。
【図５】ＦＦＣ単体の平面図と断面図。
【図６】ＦＦＣ間の誘電体を取り除いたＦＦＣの断面図。
【図７】ずれ防止用のガイドを設けたＦＦＣの断面図。
【図８】マイラーで被覆したＦＦＣの一例を示す図。
【図９】導体幅を長くしたＦＦＣの上面斜視図と断面図。
【図１０】２本のＦＦＣ間にずれが発生したときの説明図。
【図１１】従来のＦＦＣの一例の平面図と断面図。
【発明を実施するための形態】
【００１９】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２０】
図１〜図１０は、本発明の電子機器の一実施例を示す図であり、図１は、本発明の電子機器の一実施例を適用したインクジェット記録装置１の要部概略構成図である。
【００２１】
図１において、インクジェット記録装置１は、一対の側板２、３の間に、ガイドロッド４と副ガイド５が張り渡されており、ガイドロッド４と副ガイド５にキャリッジ６が、図示しない軸受と副ガイド受け部７によって、該ガイドロッド４及び副ガイド５に沿って主走査方向Ｘに移動可能に支持されている。このキャリッジ６の下方であって、図示しないプラテン上を用紙が副走査方向Ｙに搬送されてくる。
【００２２】
キャリッジ６は、黒（Ｋ）色のインク滴を吐出する記録ヘッド８Ｋ１、８Ｋ２、イエロー（Ｙ）のインク滴を吐出する記録ヘッド８Ｙ、マゼンタ（Ｍ）色のインク滴を吐出する記録ヘッド８Ｍ、シアン（Ｃ）色のインク滴を吐出する記録ヘッド８Ｃを搭載しているとともに、各記録ヘッド８Ｋ１、８Ｋ２、８Ｙ、８Ｍ、８Ｃの駆動を制御する駆動制御回路等を搭載するキャリッジ側基板９及びエンコーダセンサ１０等を搭載している。
【００２３】
インクジェット記録装置１は、側板２、３の内側であって、キャリッジ６の移動する主走査方向の両端部に、駆動プーリ１１と従動プーリ１２が配設されており、駆動プーリ１１は、駆動モータ１３により回転駆動される。駆動プーリ１１と従動プーリ１２との間には、タイミングベルト１４が張り渡されており、従動プーリ１２は、図示しないテンションスプリングによって外方（駆動プーリ１１に対して離れる方向）にテンションが架けられている。
【００２４】
キャリッジ６は、その背面側に設けられているベルト保持部１５によってタイミングベルト１４に固定されており、タイミングベルト１４が駆動プーリ１１によって従動プーリ１２との間を回転駆動されることで、主走査方向に往復移動する。
【００２５】
キャリッジ６は、上記エンコーダセンサ１０を搭載しており、インクジェット記録装置１は、キャリッジ６の主走査方向の移動時にエンコーダセンサ１０が対向する位置に、エンコーダシート１６が配設されている。インクジェット記録装置１は、キャリッジ６の移動時に、エンコーダセンサ１０がエンコーダシート１６を読み取ることで、キャリッジ６の主走査位置を検知する。
【００２６】
また、インクジェット記録装置１は、キャリッジ６に主走査領域のうち、画像記録領域では、用紙が図示しない紙送り機構によってキャリッジ６の主走査方向と直交する副走査方向Ｙに間欠的に搬送される。
【００２７】
そして、インクジェット記録装置１は、副ガイド５の後方側（反副走査方向側）に本体側基板１７が配設されており、この本体側基板１７とキャリッジ６のキャリッジ側基板９とが、特性インピーダンスコントロールＦＦＣ（配線材）２０で電気的に接続されている。この特性インピーダンスコントロールＦＦＣ２０は、キャリッジ６の主走査方向の摺動に耐えうる構成となっている。
【００２８】
インクジェット記録装置１は、キャリッジ６が側板２と側板３の間をキャリッジ走査領域（移動領域）として移動する場合、図２（ａ）〜（ｃ）に破線で示す可動領域ＦＡ内を、特性インピーダンスコントロールＦＦＣ２０が移動する。
【００２９】
インクジェット記録装置１は、用紙を副走査方向に搬送して画像形成位置で停止させると、キャリッジ６を主走査方向に移動させながら、画像データに基づいて記録ヘッド８Ｋ１、８Ｋ２、８Ｙ、８Ｍ、８Ｃからインク滴を用紙に向かって吐出させて所定ライン分の画像を形成し、所定ライン分の画像の形成が完了すると、用紙Ｐを副走査方向に該所定ライン分だけ移動させて停止させて、同様に、次の所定ライン分の画像を形成するという処理を順次繰り返し行なって、１ページ分の画像を形成する。
【００３０】
そして、上記特性インピーダンスコントロールＦＦＣ２０は、図３に示すように、本体側基板１７とキャリッジ側基板９との間の電気的接続に用いられ、ＬＶＤＳ等のシリアル差動信号にて伝送することにより、信号線本数の削減や消費電力の低減を図っている。
【００３１】
すなわち、本体側基板１７は、ＬＶＤＳトランスミッター（Transmitter）１７ａを搭載し、キャリッジ側基板９は、ＬＶＤＳレシーバー（Receiver）９ａを搭載している。ＬＶＤＳトランスミッター１７ａは、シリアライザ１７ｂとＰＬＬ（Phase Locked Loop）回路１７ｃを搭載しており、ＬＶＤＳレシーバー９ａは、デシリアライザ（Deserializer）９ｂとＰＬＬ９ｃを搭載している。特性インピーダンスコントロールＦＦＣ２０は、本体側基板１７のＬＶＤＳトランスミッター１７ａのシリアライザ１７ｂ及びＰＬＬ１７ｃとキャリッジ側基板９のＬＶＤＳレシーバー９ａのデシリアライザ９ｂ及びＰＬＬ９ｃを接続しており、本体側基板１７から複数のヘッド制御信号をＬＶＤＳトランスミッター１７ａ内のシリアライザ１７ｂでシリアル差動信号に変換して、特性インピーダンスコントロールＦＦＣ２０によってキャリッジ側基板９のＬＶＤＳレシーバー９ａに伝送する。ＬＶＤＳレシーバー９ａは、そのデシリアライザ９ｂがシリアル差動信号をパラレル信号に復元する。
【００３２】
このように信号をシリアル化すると信号が高速化され、伝送路である特性インピーダンスコントロールＦＦＣ２０における損失や反射により信号品質が劣化して、特性インピーダンスコントロールＦＦＣ２０が長距離化するに従って顕著に現れるため、この問題を解決するのに、特性インピーダンスコントロールＦＦＣ２０や受信側の終端を適切に整合して、信号品質を確保する必要がある。
【００３３】
そこで、本実施例のインクジェット記録装置１は、特性インピーダンスコントロールＦＦＣ２０が、図４（ａ）の上面斜視図と図４（ｂ）の図４（ａ）のＡ−Ａ矢視断面図に示すように構成されており、同じ構成の２つの特性インピーダンスコントロールＦＦＣ（第１の配線材）２０ａと特性インピーダンスコントロールＦＦＣ（第２の配線材）２０ｂが積層されている。各特性インピーダンスコントロールＦＦＣ２０ａ、２０ｂは、図５（ａ）、（ｂ）にその平面図とＡ−Ａ矢視断面図として示すように、平板状の所定幅で必要な長さに形成されている。各特性インピーダンスコントロールＦＦＣ２０ａ、２０ｂは、図４（ｂ）及び図５（ｂ）に示すように、所定幅と所定高さを有する導体２１ａ、２１ｂが、所定の導体間隔（導体間ピッチ）ｄｐ［ｍｍ］だけ空けて複数配置されており、各導体２１ａ、２１ｂの周囲は、絶縁性接着剤で埋め尽くされた絶縁性接着層２２ａ、２２ｂとなっている。さらに、各特性インピーダンスコントロールＦＦＣ２０ａ、２０ｂは、絶縁性接着層２２ａ、２２ｂの表裏面が、誘電体２３ａ、２３ｂで被覆されており、特性インピーダンスコントロールＦＦＣ２０は、特性インピーダンスコントロールＦＦＣ２０ａの誘電体２３ａと特性インピーダンスコントロールＦＦＣ２０ｂの誘電体２３ｂが密接する状態で、かつ、各導体２１ａと導体２１ｂが正確に相対向する状態で積層されている。
【００３４】
そして、一方の特性インピーダンスコントロールＦＦＣ２０ａは、本体側基板１７のＬＶＤＳトランスミッター１７ａのシリアライザ１７ｂとキャリッジ側基板９のＬＶＤＳレシーバー９ａのデシリアライザ９ｂとを接続し、他方の特性インピーダンスコントロールＦＦＣ２０ｂは、本体側基板１７のＬＶＤＳトランスミッター１７ａのＰＬＬ１７ｃとキャリッジ側基板９のＬＶＤＳレシーバー９ａのＰＬＬ９ｃとを接続している。すなわち、特性インピーダンスコントロールＦＦＣ２０は、一方の特性インピーダンスコントロールＦＦＣ２０ａの導体２１ａに差動信号が流れ、他方の特性インピーダンスコントロールＦＦＣ２０ｂの導体２１ｂに電源線または接地線が接続される状態となっている。
【００３５】
次に、本実施例の作用を説明する。本実施例のインクジェット記録装置１は、本体側基板１７とキャリッジ側基板９とを特性インピーダンスコントロールＦＦＣ２０ａと特性インピーダンスコントロールＦＦＣ２０ｂを積層した特性インピーダンスコントロールＦＦＣ２０で接続して、差動高速信号における波形品質の劣化を安価に抑制しつつ、耐久性を向上させている。
【００３６】
すなわち、インクジェット記録装置１は、用紙を副走査方向に搬送してキャリッジ６の下方の画像形成位置で停止させると、キャリッジ６を主走査方向に移動させながら、画像データに基づいて記録ヘッド８Ｋ１、８Ｋ２、８Ｙ、８Ｍ、８Ｃからインク滴を用紙に向かって吐出させて所定ライン分の画像を形成し、所定ライン分の画像の形成が完了すると、用紙Ｐを副走査方向に該所定ライン分だけ移動させて停止させて、同様に、次の所定ライン分の画像を形成するという処理を順次繰り返し行なって、１ページ分の画像を形成する。
【００３７】
キャリッジ６は、本体側基板１７とキャリッジ側基板９とが特性インピーダンスコントロールＦＦＣ２０によって電気的につながれた状態で、一対の側板２、３に支持されたガイドロッド４及び副ガイド５に沿って主走査方向Ｘに移動され、本体側基板１７とキャリッジ側基板９とは、特性インピーダンスコントロールＦＦＣ２０を画像データ、信号及び電力の授受を行う。
【００３８】
そして、特性インピーダンスコントロールＦＦＣ２０は、同じ構成の２つの特性インピーダンスコントロールＦＦＣ２０ａと特性インピーダンスコントロールＦＦＣ２０ｂが、導体２１ａと導体２１ｂが相対向する状態で積層されており、特性インピーダンスコントロールＦＦＣ２０ａには、差動信号線を含む信号線が、特性インピーダンスコントロールＦＦＣ２０ｂには、電源線または接地線が、それぞれ接続される。例えば、特性インピーダンスコントロールＦＦＣ２０ａは、本体側基板１７のＬＶＤＳトランスミッター１７ａのシリアライザ１７ｂとキャリッジ側基板９のＬＶＤＳレシーバー９ａのデシリアライザ９ｂとを接続し、特性インピーダンスコントロールＦＦＣ２０ｂは、本体側基板１７のＬＶＤＳトランスミッター１７ａのＰＬＬ１７ｃとキャリッジ側基板９のＬＶＤＳレシーバー９ａのＰＬＬ９ｃとを接続する。
【００３９】
この特性インピーダンスコントロールＦＦＣ２０は、同じ構成の２つの特性インピーダンスコントロールＦＦＣ２０ａと特性インピーダンスコントロールＦＦＣ２０ｂが、導体２１ａと導体２１ｂが相対向する状態で積層されていて、特性インピーダンスコントロールＦＦＣ２０ａと特性インピーダンスコントロールＦＦＣ２０ｂの間にシールド材が存在しないため、導体２１ａと導体２１ｂとの距離ｄ１［ｍｍ］が、特性インピーダンスコントロールＦＦＣ２０の特性インピーダンスＺdiffを決定する因子の１つとなっている。
【００４０】
すなわち、特性インピーダンスコントロールＦＦＣ２０の特性インピーダンスＺdiffは、導体間距離（導体間ピッチ）ｄｐ［ｍｍ］、誘電体２３ａ、２３ｂの誘電率εと真空の誘電率ε0の比である比誘電率εｒ（ε／ε0＝εｒ）、導体２１ａと導体２１ｂとの距離ｄ１［ｍｍ］を特性決定要因として決定され、これらの特性決定要因を適宜設定することで、意図する特性インピーダンスＺdiffの特性インピーダンスコントロールＦＦＣ２０を得ることができる。
【００４１】
したがって、特性インピーダンスコントロールＦＦＣ２０ａの差動信号を伝送する差動対間で生じる容量結合による容量成分に対して、特性インピーダンスコントロールＦＦＣ２０ａの導体２１ａと電源線または接地線に接続される特性インピーダンスコントロールＦＦＣ２０ｂの導体２１ｂ間で生じる容量結合による容量成分の方が大きくなり、また、特性インピーダンスコントロールＦＦＣ２０ａの導体対間におけるループ電流が減少することによる誘導成分の低下により特性インピーダンスコントロールＦＦＣ２０ａの差動対間の特性インピーダンスＺdiffが低下し、意図する特性インピーダンスＺdiffの値を確実に得ることができる。
【００４２】
その結果、シールド材や調整剤を使用することなく、特性インピーダンスを適宜に調整して差動高速信号における波形品質の劣化を抑制しつつ、安価に耐久性の良好な状態で差動の画像形成信号を送信することができる。
【００４３】
なお、上記例では、特性インピーダンスコントロールＦＦＣ２０は、同一構成の特性インピーダンスコントロールＦＦＣ２０ａと特性インピーダンスコントロールＦＦＣ２０ｂを、導体２１ａと導体２１ｂの位置を合わせて積層した構成となっているが、特性インピーダンスコントロールＦＦＣ２０の構成としては、上記の構成に限るものではない。
【００４４】
例えば、図６に示すように、特性インピーダンスコントロールＦＦＣ２０ａと特性インピーダンスコントロールＦＦＣ２０ｂとの間の誘電体２３ａと誘電体２３ｂを取り除いて、特性インピーダンスコントロールＦＦＣ２０ａの絶縁性接着層２２ａと特性インピーダンスコントロールＦＦＣ２０ｂの絶縁性接着層２２ｂとを直接接着して、特性インピーダンスコントロールＦＦＣ３０とする構成としてもよい。
【００４５】
このようにすると、図４に示したような特性インピーダンスコントロールＦＦＣ２０ａと特性インピーダンスコントロールＦＦＣ２０ｂを単純に重ね合わせた場合に比較して、誘電体２３ａ、２３ｂを取り除いて直接絶縁性接着層２２ａ、２２ｂを接着した特性インピーダンスコントロールＦＦＣ３０とすると、特性インピーダンスコントロールＦＦＣ３０によって本体側基板１７とキャリッジ側基板９とを接続してキャリッジ６が移動して、特性インピーダンスコントロールＦＦＣ３０が移動したときに、相対向する導体２１ａと導体２１ｂの位置ずれをより一層抑制することができ、特性を安定化させることができる。
【００４６】
また、特性インピーダンスコントロールＦＦＣ２０または特性インピーダンスコントロールＦＦＣ３０において、特性インピーダンスコントロールＦＦＣ２０ａと特性インピーダンスコントロールＦＦＣ２０ｂの相対向する導体２１ａと２１ｂのずれを防止するために、例えば、図７に示すように、特性インピーダンスコントロールＦＦＣ２０の幅方向と少なくとも誘電体２３ａ、２３ｂ側の面を、ガイド部材４０でガイドして、特性インピーダンスコントロールＦＦＣ２０ａと特性インピーダンスコントロールＦＦＣ２０ｂとのずれ、特に、導体２１ａと導体２１ｂの幅方向の位置ずれが発生するのを防止するようにしてもよい。
【００４７】
このように、ガイド部材４０でガイドした特性インピーダンスコントロールＦＦＣ２０によって本体側基板１７とキャリッジ側基板９とを接続してキャリッジ６が移動して、特性インピーダンスコントロールＦＦＣ２０が可動領域ＦＡを移動したときに、相対向する導体２１ａと導体２１ｂの位置ずれをより一層抑制することができ、特性インピーダンスコントロールＦＦＣ３０の特性を安定化させることができる。
【００４８】
さらに、特性インピーダンスコントロールＦＦＣ２０ａと特性インピーダンスコントロールＦＦＣ２０ｂの相対向する導体２１ａと２１ｂのずれを防止するには、さらに、例えば、図８に示すように、特性インピーダンスコントロールＦＦＣ２０の外周部を、絶縁性マイラー５０で被覆してもよい。
【００４９】
このようにすると、絶縁性マイラー５０で被覆した特性インピーダンスコントロールＦＦＣ２０によって本体側基板１７とキャリッジ側基板９とを接続してキャリッジ６が移動して、特性インピーダンスコントロールＦＦＣ２０が可動領域ＦＡを移動したときに、相対向する導体２１ａと導体２１ｂとの間のずれをより一層抑制することができ、特性を安定化させることができる。
【００５０】
なお、上記ガイド部材４０及び絶縁性マイラー５０は、特性インピーダンスコントロールＦＦＣ２０の可動部分（可動領域ＦＡに位置する部分）にのみ設けてもよく、このようにすると、安価に特性インピーダンスコントロールＦＦＣ２０の特性を安定させることができる。
【００５１】
また、図７及び図８においては、特性インピーダンスコントロールＦＦＣ２０に適用した場合について説明したが、特性インピーダンスコントロールＦＦＣ３０にも同様に適用することができる。
【００５２】
また、上記説明においては、特性インピーダンスコントロールＦＦＣ２０、３０は、２つの特性インピーダンスコントロールＦＦＣ２０ａと特性インピーダンスコントロールＦＦＣ２０ｂが同一の構成であるが、本発明の特性インピーダンスコントロールＦＦＣとしては、同一の構成の特性インピーダンスコントロールＦＦＣを２つ積層したものに限るものではない。
【００５３】
例えば、図９に示す特性インピーダンスコントロールＦＦＣ６０のように、シリアル差動信号の流れる側の特性インピーダンスコントロールＦＦＣ６０ａについては、上記特性インピーダンスコントロールＦＦＣ２０ａと同様に、所定幅と所定高さを有する導体６１ａが、所定の導体間隔（導体間ピッチ）ｄｐ［ｍｍ］だけ空けて複数配置されていて、各導体６１ａの周囲が、絶縁性接着剤で埋め尽くされた絶縁性接着層６２ａとなっており、縁性接着層６２ａの表裏面が、誘電体６３ａで被覆されている。一方、電源線または接地線に接続する側の特性インピーダンスコントロールＦＦＣ６０ｂは、幅方向に半分弱の長さを有する２個の導体６１ｂが、所定の間隔を空けて配設されており、各導体６１ｂの周囲が、絶縁性接着剤で埋め尽くされた絶縁性接着層６２ｂとなっていて、縁性接着層６２ｂの表裏面が、誘電体６３ｂで被覆されている。
【００５４】
すなわち、特性インピーダンスコントロールＦＦＣ６０ａの複数（図９では、３個）の導体６１ａと特性インピーダンスコントロールＦＦＣ６０ｂの１つの導体６１ｂとが対向する状態となっており、この特性インピーダンスコントロールＦＦＣ６０ａの各導体６１ａと特性インピーダンスコントロールＦＦＣ６０ｂの導体６１ｂとの距離ｄ１［ｍｍ］が、特性インピーダンスコントロールＦＦＣ２０の特性インピーダンスＺdiffを決定する特性決定要因の１つとなっている。
【００５５】
したがって、特性インピーダンスコントロールＦＦＣ６０は、特性インピーダンスコントロールＦＦＣ６０ａの差動信号を伝送する差動対間で生じる容量結合による容量成分に対して、特性インピーダンスコントロールＦＦＣ６０ａの導体６１ａと特性インピーダンスコントロールＦＦＣ６０ｂの導体６１ｂ間で生じる容量結合による容量成分の方が大きくなり、また、特性インピーダンスコントロールＦＦＣ６０ａの導体対間におけるループ電流が減少することによる誘導成分の低下により、特性インピーダンスコントロールＦＦＣ６０ａの差動対間の特性インピーダンスを低下させることができる。
【００５６】
さらに、特性インピーダンスコントロールＦＦＣ６０ｂの導体６１ｂ部分が大きく、特性インピーダンスコントロールＦＦＣ６０ａの導体６１ａとの容量成分が大きくなるため、上記特性インピーダンスコントロールＦＦＣ２０や特性インピーダンスコントロールＦＦＣ３０に対して、特性インピーダンスコントロールＦＦＣ６０ａの差動対間の特性インピーダンスＺdiffをより一層低下させることができ、所望の値を得ることができる。
【００５７】
すなわち、図１０（ａ）に示すように、同一の構成の特性インピーダンスコントロールＦＦＣ２０ａと特性インピーダンスコントロールＦＦＣ２０ｂを積層して特性インピーダンスコントロールＦＦＣ２０を構成した場合、特性インピーダンスコントロールＦＦＣ２０ａと特性インピーダンスコントロールＦＦＣ２０ｂとの間で幅方向にずれが発生すると、特性インピーダンスコントロールＦＦＣ２０ａの導体２１ａと特性インピーダンスコントロールＦＦＣ２０ｂの導体２１ｂとの間の距離ｄ１に影響が発生し、特性インピーダンスＺdiffに影響が発生する恐れがある。
【００５８】
ところが、図９に示したように、特性インピーダンスコントロールＦＦＣ６０の電源線または接地線に接続される特性インピーダンスコントロールＦＦＣ６０ｂの導体６１ｂを幅方向に長くすると、図１０（ｂ）に示すように、特性インピーダンスコントロールＦＦＣ６０ａと特性インピーダンスコントロールＦＦＣ６０ｂとが、幅方向にずれが発生しても、特性インピーダンスコントロールＦＦＣ６０ａの導体６１ａと特性インピーダンスコントロールＦＦＣ６０ｂの導体６１ｂが常に相対向する状態となり、特性インピーダンスコントロールＦＦＣ６０ａの導体６１ａと特性インピーダンスコントロールＦＦＣ６０ｂの導体６１ｂとの間の距離ｄ１に影響が発生することを防止することができ、特性インピーダンスＺdiffに影響が発生することを適切に防止して、意図する特性インピーダンスＺdiffを確保することができる。
【００５９】
このように、本実施例のインクジェット記録装置１は、本体側基板１７とキャリッジ側基板９という回路間を接続して差動信号を伝送する特性インピーダンスコントロールＦＦＣ（配線材）２０として、所定幅を有する平板状であって前記差動信号の流れる複数の導体２１ａが、本体側基板１７とキャリッジ側基板９間の方向に延在するとともに幅方向に所定の間隔(導体間ピッチｄｐ）を空けて配設されている特性インピーダンスコントロールＦＦＣ（第１の配線材）２０ａと、所定幅を有する平板状であって電源線または接地線を含む複数の導体２１ｂが、本体側基板１７とキャリッジ側基板９間の方向に延在するとともに所定の間隔を空けて配設されている特性インピーダンスコントロールＦＦＣ（第２の配線材）２０ｂと、が該特性インピーダンスコントロールＦＦＣ２０ａの導体２１ａと該特性インピーダンスコントロールＦＦＣ２０ｂの導体２１ｂとが相対向する状態で積層されている。
【００６０】
したがって、シールド材や調整剤を使用することなく、特性インピーダンスを適宜に調整して差動高速信号における波形品質の劣化を抑制しつつ、安価に耐久性の良好な状態で差動の画像形成信号を送信することができる。
【００６１】
また、本実施例のインクジェット記録装置１は、特性インピーダンスコントロールＦＦＣ２０が、特性インピーダンスコントロールＦＦＣ２０ａの導体２１ａと特性インピーダンスコントロールＦＦＣ２０ｂの導体２１ｂの相対向する面の幅が同じ、すなわち、同じ構成の特性インピーダンスコントロールＦＦＣ２０ａと特性インピーダンスコントロールＦＦＣ２０ｂを積層したものを使用している。
【００６２】
したがって、同じ構成の特性インピーダンスコントロールＦＦＣを積層されているため、差動高速信号における波形品質の劣化を抑制しつつ、より一層安価に耐久性の良好な状態で差動の画像形成信号を送信することができる。
【００６３】
さらに、本実施例のインクジェット記録装置１は、特性インピーダンスコントロールＦＦＣ２０が、特性インピーダンスコントロールＦＦＣ２０ｂの導体２１ｂが、特性インピーダンスコントロールＦＦＣ２０ａの導体２１と対向する面において、その幅が、該特性インピーダンスコントロールＦＦＣ２０ａの該導体２１ａの幅よりも大きくなっている。
【００６４】
したがって、積層された特性インピーダンスコントロールＦＦＣ２０の幅方向へのずれが生じても電気的特性を維持することができ、差動の画像形成信号をより一層劣化を抑制しつつ送信することができる。
【００６５】
また、本実施例のインクジェット記録装置１は、特性インピーダンスコントロールＦＦＣ２０ａと特性インピーダンスコントロールＦＦＣ２０ｂが、導体２１ａ、２１ｂの周囲が、接着層２２ａ、２２ｂで埋められており、該接着層２２ａ、２２ｂの外面が所定の誘電体２３ａ、２３ｂで被覆されている。
【００６６】
したがって、特性インピーダンスコントロールＦＦＣ２０の可動時に積層されている特性インピーダンスコントロールＦＦＣ２０ａと特性インピーダンスコントロールＦＦＣ２０ｂの対向する導体２１ａ、２１ｂが幅方向にずれるのを抑制することができ、電気的特性を維持して、差動の画像形成信号を、より一層劣化を抑制しつつ送信することができる。
【００６７】
さらに、本実施例のインクジェット記録装置１は、特性インピーダンスコントロールＦＦＣ２０ａと特性インピーダンスコントロールＦＦＣ２０ｂが、接着層２２ａ、２２ｂ同士が直接積層されていてもよい。
【００６８】
したがって、特性インピーダンスコントロールＦＦＣ２０の可動時に積層されている特性インピーダンスコントロールＦＦＣ２０ａと特性インピーダンスコントロールＦＦＣ２０ｂの対向する導体２１ａ、２１ｂが幅方向にずれるのを抑制することができ、電気的特性を維持して、差動の画像形成信号を、より一層劣化を抑制しつつ送信することができる。
【００６９】
また、本実施例のインクジェット記録装置１は、少なくとも一方の回路であるキャリッジ側基板９が、所定の移動範囲を移動して、特性インピーダンスコントロールＦＦＣ２０が該キャリッジ側基板９の移動に伴って所定の移動領域ＦＡを移動し、少なくとも該移動領域ＦＡの特性インピーダンスコントロールＦＦＣ２０をガイドするガイド部材４０を備えていてもよい。
【００７０】
このようすると、特性インピーダンスコントロールＦＦＣ２０の可動にともなって、特性インピーダンスコントロールＦＦＣ２０ａの導体２１ａと特性インピーダンスコントロールＦＦＣ２０ｂの導体２１ｂが位置ずれすることをより一層適切に防止することができ、信号の伝送品質をより一層向上させることができる。
【００７１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００７２】
本発明は、特性インピーダンスコントロールフレキシブルフラットケーブルを用いたプリンタ装置、複合装置、コンピュータ等の電子機器に利用することができる。
【符号の説明】
【００７３】
１  インクジェット記録装置
２、３  側板
４  ガイドロッド
５  副ガイド
６  キャリッジ
７  副ガイド受け部
８Ｋ１、８Ｋ２、８Ｙ、８Ｍ、８Ｃ  記録ヘッド
９  キャリッジ側基板
１０  エンコーダセンサ
１１  駆動プーリ
１２  従動プーリ
１３  駆動モータ
１４  タイミングベルト
１５  ベルト保持部
１６  エンコーダシート
１７  本体側基板
１７ａ  ＬＶＤＳトランスミッター
１７ｂ  シリアライザ
１７ｃ  ＰＬＬ
ＦＡ  可動領域
２０  特性インピーダンスコントロールＦＦＣ
２０ａ、２０ｂ  特性インピーダンスコントロールＦＦＣ
２１ａ、２１ｂ  導体
２２ａ、２２ｂ  絶縁性接着層
２３ａ、２３ｂ  誘電体
３０  特性インピーダンスコントロールＦＦＣ
４０  ガイド部材
５０  絶縁性マイラー
６０  特性インピーダンスコントロールＦＦＣ
６０ａ、６０ｂ  特性インピーダンスコントロールＦＦＣ
６１ａ、６１ｂ  導体
６２ａ、６２ｂ  絶縁性接着層
６３ａ、６３ｂ  誘電体
【先行技術文献】
【特許文献】
【００７４】
【特許文献１】特開２００３−３１０３３号公報
【特許文献２】特開２００６−２４８２４号公報
【図１】
2012195245.tif 000003
【図２】
2012195245.tif 000004
【図３】
2012195245.tif 000005
【図４】
2012195245.tif 000006
【図５】
2012195245.tif 000007
【図６】
2012195245.tif 000008
【図７】
2012195245.tif 000009
【図８】
2012195245.tif 000010
【図９】
2012195245.tif 000011
【図１０】
2012195245.tif 000012
【図１１】
2012195245.tif 000013